(57)【要約】      （修正有）【課題】ノートＰＣ等の比較的大きな物品と文房具等の比較的小さな物品とを別々に収納して一緒に持ち運ぶことができる物品収納具を提供する。【解決手段】第一開口１０Ａ及び第一収納空間１０Ｂを有する第一箱体１０と、第二収納空間２０Ｂを有する第二箱体２０と、を備える物品収納具１である。第一底面部及び第一側面部１２で第一収納空間１０Ｂを形成し、第一底面部から第一開口１０Ａを経て外方へと延在して第一収納空間１０Ｂを仕切る仕切部材１４を第一底面部に取り付け、仕切部材１４のうち第一開口１０Ａから外方に突出した部分１４Ａに把持部を設ける。第二底面部及び第二側面部２２で第二収納空間２０Ｂを形成し、仕切部材１４のうち把持部を含む部分を挿通させる挿通孔２１Ａを第二底面部に設ける。【選択図】図２
2020081390.tif 000002
【特許請求の範囲】
【請求項１】
第一開口及び前記第一開口に連なる第一収納空間を有する第一箱体と、第二開口及び前記第二開口に連なる第二収納空間を有する第二箱体と、を備える物品収納箱であって、
前記第一収納空間は、第一底面部と、前記第一底面部の側方に設けられた第一側面部と、から形成され、
前記第一底面部には、前記第一底面部に対して略垂直な方向に前記第一底面部から前記第一開口を経て外方へと延在するように構成されて前記第一収納空間を仕切る仕切部材が取り付けられており、
前記仕切部材のうち前記第一開口から外方に突出した部分には、使用者によって把持される把持部が設けられており、
前記第二収納空間は、第二底面部と、前記第二底面部の側方に設けられた第二側面部と、から形成され、
前記第二底面部には、前記仕切部材のうち少なくとも前記把持部を含む部分を挿通させる挿通孔が設けられており、
前記第一箱体の前記把持部を含む部分を前記第二箱体の前記挿通孔に挿通させて前記把持部を前記第二収納空間に突出させた状態で、前記第二箱体が前記第一箱体の前記第一開口に取り付けられる、物品収納箱。
【請求項２】
前記第二箱体の前記第二底面部の裏面は、前記第二箱体を前記第一箱体の前記第一開口に取り付ける際に前記第一開口を形成する縁部の端面に当接するように平面視で前記第一開口よりも広い面積を有しており、
前記第二底面部の前記裏面には、前記第二収納空間と反対側に突出する突出部が設けられており、
前記突出部は、前記第二箱体を前記第一箱体の前記第一開口に取り付ける際に前記第一開口に嵌合するように平面視で前記第一開口と略同一の面積を有している、請求項１に記載の物品収納具。
【請求項３】
前記第二底面部の前記挿通孔を形成する縁部のうち前記第一箱体の前記仕切部材が挿入される側の縁部は、曲面形状を有している、請求項１又は２に記載の物品収納箱。
【請求項４】
前記仕切部材のうち前記第一底面部に取り付けられる部分の厚さは、他の部分の厚さよりも厚くされている、請求項１から３の何れか一項に記載の物品収納箱。
【請求項５】
前記第一箱体は、平面視略矩形状を呈する板状の一つの前記第一底面部と、板状の四つの前記第一側面部と、を有し、
前記第一底面部及び前記第一側面部の少なくとも内面は、不織布により構成されており、
前記第一箱体は、前記第一開口を鉛直上方に向けて前記第一箱体を配置したときに前記第一底面部及び前記第一側面部を鉛直下方から支持する平面視略矩形状の底面支持部と、前記底面支持部の四隅付近から前記第一開口側へと延在して前記第一側面部同士の繋ぎ目の角部に配置される角フレーム部と、が一体的に連接されてなるフレーム部材を有する、請求項１から４の何れか一項に記載の物品収納具。
【請求項６】
前記フレーム部材は、前記底面支持部の各辺に沿って前記角フレーム部の間に形成された底フレーム部を有し、
隣接する少なくとも一対の前記角フレーム部と、これら一対の前記角フレーム部の間に配置される前記底フレーム部と、には、紙片を挿入可能なスリットが形成されている、請求項５に記載の物品収納具。
【発明の詳細な説明】
【技術分野】
【０００１】
本発明は、物品収納具に関する。
【背景技術】
【０００２】
従来より、種々の物品を収納するための物品収納具が提案され、実用化されている。例えば現在においては、上部が開口した箱状のファイルボックスであって、折り畳み可能な本体部と、この本体部内に着脱自在に設けられる折り畳み可能な仕切部と、を備えるものが提案されている（例えば、特許文献１参照）。かかるファイルボックスを採用すると、仕切部が本体部に対して着脱自在とされ、本体部及び仕切部が折り畳み可能となっているため、運搬や保管に際して仕切部を本体部から外し双方を折り畳んだ状態とすることにより省スペース化が可能となる、とされている。
【先行技術文献】
【特許文献】
【０００３】
【特許文献１】実用新案登録第３１０５２４１号公報
【発明の概要】
【発明が解決しようとする課題】
【０００４】
しかし、特許文献１に記載されたような従来の物品収納具は、Ａ４サイズのノートＰＣやファイル等の比較的大きい物品を収納するように構成されていることから、文房具等の比較的小さい物品をファイル等の比較的大きい物品と一緒に持ち運びたいときに使用し難いという問題があった。また、特許文献１に記載されたような従来の物品収納具は、上部が開口するように構成されているため、運搬中に衝撃を受けたり傾斜したりした場合に内部に収納された物品が外部に飛散する虞がある。
【０００５】
本発明は、かかる事情に鑑みてなされたものであり、ノートＰＣ等の比較的大きい物品と、文房具等の比較的小さい物品と、を別々に収納して一緒に持ち運ぶことができる物品収納具を提供することを目的とする。
【課題を解決するための手段】
【０００６】
前記目的を達成するため、本発明に係る物品収納具は、第一開口及び第一開口に連なる第一収納空間を有する第一箱体と、第二開口及び第二開口に連なる第二収納空間を有する第二箱体と、を備えるものであって、第一収納空間は、第一底面部と、第一底面部の側方に設けられた第一側面部と、から形成され、第一底面部には、第一底面部に対して略垂直な方向に第一底面部から第一開口を経て外方へと延在するように構成されて第一収納空間を仕切る仕切部材が取り付けられており、仕切部材のうち第一開口から外方に突出した部分には、使用者によって把持される把持部が設けられており、第二収納空間は、第二底面部と、第二底面部の側方に設けられた第二側面部と、から形成され、第二底面部には、仕切部材のうち少なくとも把持部を含む部分を挿通させる挿通孔が設けられており、第一箱体の把持部を含む部分を第二箱体の挿通孔に挿通させて把持部を第二収納空間に突出させた状態で、第二箱体が第一箱体の第一開口に取り付けられるものである。
【０００７】
かかる構成を採用すると、第一箱体及び第二箱体の双方の収納空間に別々に物品を収納することができる。例えば、第一箱体の第一収納空間には、比較的大きい物品（例えばＡ４サイズのノートＰＣやクリアファイル等）を収納する一方、第二箱体の第二収納空間には比較的小さい物品（例えばペン等の文房具）を収納することができる。そして、第一箱体の第一底面部に取り付けられた仕切部材のうち少なくとも把持部を含む部分を第二箱体の第二底面部の挿通孔に挿通させて第一箱体の把持部を第二箱体の第二収納空間に突出させた状態で、第二箱体を第一箱体の第一開口に取り付けることができる。このため、使用者は、第二箱体の第二開口から第二収納空間に手を入れて把持部を把持することができ、第一箱体と第二箱体とを一体的に持ち運ぶことができる。この際、第二箱体を、第一箱体の第一開口を塞ぐ蓋体として機能させることができるため、第一箱体の第一収納空間に収納した物品が外部に飛散することを防止することができる。
【０００８】
本発明に係る物品収納具において、第二箱体の第二底面部の裏面は、第二箱体を第一箱体の第一開口に取り付ける際に第一開口を形成する縁部の端面に当接するように平面視で第一開口よりも広い面積を有することができる。かかる場合において、第二底面部の裏面に、第二収納空間と反対側に突出する突出部を設けることができる。この突出部は、第二箱体を第一箱体の第一開口に取り付ける際に第一開口に嵌合するように平面視で第一開口と略同一の面積を有することができる。
【０００９】
かかる構成を採用すると、第二箱体を第一箱体の第一開口に取り付ける際に、第二箱体の第二底面部の裏面に設けられた突出部を第一箱体の第一開口に嵌合させて、突出部を第一開口の内側に位置させることができる。従って、第一箱体の第一開口の形状を維持することができ、第一箱体の第一側面部が内側に湾曲することを抑制することができる。
【００１０】
本発明に係る物品収納具において、第二底面部の挿通孔を形成する縁部のうち第一箱体の仕切部材が挿入される側の縁部は、曲面形状を有することができる。
【００１１】
かかる構成を採用すると、第二箱体の第二底面部の挿通孔を形成する縁部のうち第一箱体の仕切部材が挿入される側の縁部が曲面形状を有しているため、仕切部材を挿通孔に挿入する際に、仕切部材の先端が挿通孔の縁部に引っ掛かることを抑制することが可能となる。
【００１２】
本発明に係る物品収納具において、仕切部材のうち第一底面部に取り付けられる部分の厚さを、他の部分の厚さよりも厚くすることができる。
【００１３】
かかる構成を採用すると、仕切部材のうち第一底面部に取り付けられる部分の厚さが他の部分の厚さよりも厚くされているため、仕切部材を第一底面部に対して比較的強固に取り付けることができ、仕切部材の立位状態を安定させることが可能となる。
【００１４】
本発明に係る物品収納具において、平面視略矩形状を呈する板状の一つの第一底面部と、板状の四つの第一側面部と、を有する第一箱体を採用し、第一底面部及び第一側面部の少なくとも内面を不織布により構成することができる。かかる場合において、第一箱体は、第一開口を鉛直上方に向けて第一箱体を配置したときに第一底面部及び第一側面部を鉛直下方から支持する平面視略矩形状の底面支持部と、底面支持部の四隅付近から第一開口側へと延在して第一側面部同士の繋ぎ目の角部に配置される角フレーム部と、が一体的に連接されてなるフレーム部材を有することができる。
【００１５】
かかる構成を採用すると、第一開口を鉛直上方に向けて第一箱体を配置したときに、底面支持部及び角フレーム部を有するフレーム部材によって第一底面部及び第一側面部を支持することができる。従って、第一箱体の形状を維持することが可能となる。また、第一箱体の第一底面部及び第一側面部の少なくとも内面が不織布により構成されているため、第一箱体の第一収納空間に収納した物品の損傷を防ぐことが可能となる。
【００１６】
本発明に係る物品収納具において、フレーム部材は、底面支持部の各辺に沿って角フレーム部の間に形成された底フレーム部を有することができる。かかる場合において、隣接する少なくとも一対の角フレーム部と、これら一対の角フレーム部の間に配置される底フレーム部と、に紙片を挿入可能なスリットを形成することができる。
【００１７】
かかる構成を採用すると、隣接する少なくとも一対の角フレーム部と、これら一対の角フレーム部の間に配置される底フレーム部と、に紙片を挿入可能なスリットを形成しているため、角フレーム部間の寸法を特定の紙片（例えば名刺）の幅に対応させて設定することにより、特定の紙片をこれらスリットに挿入して支持することができる。この際、底フレーム部のスリット及び二つの角フレーム部のスリットによって特定の紙片の三辺を安定的に支持することが可能となる。
【発明の効果】
【００１８】
本発明によれば、ノートＰＣ等の比較的大きな物品と、文房具等の比較的小さな物品と、を別々に収納して一緒に持ち運ぶことができる物品収納具を提供することが可能となる。
【図面の簡単な説明】
【００１９】
【図１】本発明の実施形態に係る物品収納具（第二箱体を第一箱体に取り付けた状態）の斜視図である。
【図２】本発明の実施形態に係る物品収納具（第二箱体を第一箱体から取り外した状態）の斜視図である。
【図３】本発明の実施形態に係る物品収納具の平面図である。
【図４】本発明の実施形態に係る物品収納具の底面図である。
【図５】本発明の実施形態に係る物品収納具の正面図である。
【図６】本発明の実施形態に係る物品収納具の側面図である。
【図７】本発明の実施形態に係る物品収納具の断面図（図５のVII-VII部分の断面図）である。
【発明を実施するための形態】
【００２０】
以下、図面を参照して、本発明の実施形態について説明する。なお、以下の実施形態はあくまでも好適な適用例であって、本発明の適用範囲がこれに限定されるものではない。
【００２１】
まず、図１〜図７を用いて、本発明の実施形態に係る物品収納具１の構成について説明する。本実施形態に係る物品収納具１は、図１及び図２に示すように、比較的大きな物品を収納するように構成された第一箱体１０と、比較的小さな物品を収納するように構成された第二箱体２０と、を備えている。
【００２２】
第一箱体１０は、図１、図２、図５〜図７に示すように、比較的底の深い略直方体状の容器であり、Ａ４サイズのノートＰＣやクリアファイル等の比較的大きい物品を収納するように構成されている。第一箱体１０は、物品の収納口となる第一開口１０Ａと、第一開口１０Ａに連なる第一収納空間１０Ｂと、を有している。第一収納空間１０Ｂは、第一底面部１１と、第一底面部１１の側方に設けられた第一側面部１２（１２Ａ、１２Ｂ）と、から形成された空間である。
【００２３】
本実施形態においては、図４に示すように、長辺１１Ａ及び短辺１１Ｂを有し平面視略矩形状を呈する板状の一つの第一底面部１１を採用している。また、本実施形態においては、第一底面部１１の長辺１１Ａに連接される比較的広い面積を有する板状の二つの第一側面部１２Ａと、第一底面部１１の短辺１１Ｂに連接される比較的狭い面積を有する板状の二つの第一側面部１２Ｂと、を採用している。本実施形態における第一底面部１１及び第一側面部１２は、比較的厚手（例えば厚さ１〜２ｍｍ）の不織布により構成されており、自立可能な剛性を有している。なお、第一底面部１１及び第一側面部１２は、不織布以外の材料（例えば、軟質合成樹脂やエラストマ等の軟質かつ自立可能な硬度を有する材料）で構成することもできる。
【００２４】
また、第一箱体１０は、図１、図２、図４〜図６に示すように第一開口１０Ａを鉛直上方に向けて第一箱体１０を配置したときに第一底面部１１及び第一側面部１２を鉛直下方から支持する平面視略矩形状の底面支持部１３Ａと、底面支持部１３Ａの四隅付近から第一開口１０Ａ側へと延在して第一側面部１２同士の繋ぎ目の角部１２Ｃに配置される角フレーム部１３Ｂと、底面支持部１３Ａの各辺に沿って角フレーム部１３Ｂの間に形成された底フレーム部１３Ｃと、が一体的に連接されてなるフレーム部材１３を有している。フレーム部材１３は、合成樹脂等の剛性を有する材料で構成されており、第一底面部１１及び第一側面部１２を下方及び側方から支持して第一箱体１０の形状を維持するように機能する。
【００２５】
フレーム部材１３のうち、図１、図２、図６に示すように、比較的狭い面積を有する第一側面部１２Ｂを挟む隣接する一対の角フレーム部１３Ｂと、これら一対の角フレーム部１３Ｂの間に配置される底フレーム部１３Ｃと、には、紙片を挿入可能なスリット１３Ｄが形成されている。本実施形態においては、比較的狭い面積を有する第一側面部１２Ｂを挟む一対の角フレーム部１３Ｂ間の寸法を名刺ＮＣの幅に対応させて設定することにより、名刺ＮＣをこれらスリット１３Ｄに挿入して支持することができるようになっている。この際、底フレーム部１３Ｃのスリット１３Ｄ及び二つの角フレーム部１３Ｂのスリット１３Ｄによって名刺ＮＣの三辺を安定的に支持することが可能となる。
【００２６】
フレーム部材１３の底面支持部１３Ａには、図７に示すように、底面支持部１３Ａ（第一底面部１１）に対して略垂直な方向に第一底面部１１から第一開口１０Ａを経て外方へと延在するように構成されて第一収納空間１０Ｂを仕切る仕切部材１４が固定されている。仕切部材１４は、フレーム部材１３と同様に合成樹脂等の剛性を有する材料で構成されている。仕切部材１４のうち第一開口１０Ａから外方に突出した部分１４Ａには、図１、図２、図５に示すように、使用者によって把持される把持部として機能する開口部１５が設けられている。仕切部材１４のうち底面支持部１３Ａに固定される部分１４Ｂの厚さは、図７に示すように、他の部分の厚さよりも厚くされている。なお、本実施形態においては、フレーム部材１３の底面支持部１３Ａに仕切部材１４を固定し、第一底面部１１には仕切部材１４を挿通させる挿通孔を形成した例を示したが、フレーム部材１３を省き、第一底面部１１に仕切部材１４を固定することもできる。
【００２７】
本実施形態においては、図２及び図７に示すように、比較的広い面積を有する第一側面部１２Ａに略平行に延在する仕切部材１４を第一収納空間１０Ｂの幅方向略中央部に配置することにより、第一収納空間１０Ｂを幅方向において二分している。これにより、比較的広い面積を有する物品（例えばＡ４サイズのノートＰＣやクリアファイル等）を、二分した各空間に収納することが可能となる。なお、仕切部材１４の位置は、第一収納空間１０Ｂの幅方向略中央部に限られるものではなく、どちらか一方の第一側面部１２Ａに寄せて仕切部材１４を配置してもよい。また、比較的広い面積を有する第一側面部１２Ａに平行な仕切部材１４を採用する代わりに、比較的狭い面積を有する第一側面部１２Ｂに平行な仕切部材を採用することもできる。
【００２８】
第二箱体２０は、図１〜図３、図５〜図７に示すように、比較的底の浅い略直方体状の容器であり、ペンや消しゴム等の比較的小さい物品を収納するように構成されている。第二箱体２０は、物品の収納口となる第二開口２０Ａと、第二開口２０Ａに連なる第二収納空間２０Ｂと、を有している。第二収納空間２０Ｂは、第二底面部２１と、第二底面部２１の側方に設けられた第二側面部２２と、から形成された空間である。本実施形態における第二箱体２０の第二底面部２１及び第二側面部２２は、合成樹脂等の剛性を有する材料によって構成されている。
【００２９】
第二箱体２０の第二底面部２１には、図３、図７に示すように、第一箱体１０の仕切部材１４のうち開口部（把持部）１５を含む部分を挿通させる挿通孔２１Ａが設けられている。これにより、図１、図５、図６に示すように、第一箱体１０の仕切部材１４のうち開口部（把持部）１５を含む部分を第二箱体２０の挿通孔２１Ａに挿通させて開口部（把持部）１５を第二収納空間２０Ｂに突出させた状態で、第二箱体２０を第一箱体１０の第一開口１０Ａに取り付けることができるようになっている。挿通孔２１Ａを形成する縁部のうち仕切部材１４が挿入される側の縁部２１Ａａは、図７に示すように曲面形状を有している。これにより、仕切部材１４を挿通孔２１Ａに挿入する際に、仕切部材１４の先端が挿通孔２１Ａの縁部２１Ａａに引っ掛かることを抑制することが可能となる。
【００３０】
第二箱体２０の第二底面部２１の裏面（第二収納空間２０Ｂと反対側の面）２１Ｂは、図７に示すように、第二箱体２０を第一箱体１０の第一開口１０Ａに取り付ける際に第一開口１０Ａを形成する縁部の端面１０Ａａに当接するように平面視で第一開口１０Ａよりも広い面積を有している。また、第二底面部２１の裏面２１Ｂには、図７に示すように、第二収納空間２０Ｂと反対側に突出する突出部２３が設けられている。突出部２３は、所定厚さ及び所定高さを有する壁材が第二底面部２１の裏面２１Ｂから第一箱体１０側に突出するようにかつ平面視で環状に形成されている。平面視において突出部２３によって囲われる面積は、第二箱体２０を第一箱体１０の第一開口１０Ａに取り付ける際に第一開口１０Ａに嵌合するように、第一開口１０Ａと略同一の面積とされている。これにより、第二箱体２０を第一箱体１０の第一開口１０Ａに取り付ける際に、第二箱体２０の第二底面部２１の裏面２１Ｂに設けられた突出部２３を第一箱体１０の第一開口１０Ａに嵌合させて、突出部２３を第一開口１０Ａの内側に位置させることができる。従って、第一箱体１０の第一開口１０Ａの形状を維持することができ、第一箱体１０の第一側面部１２が内側に湾曲することを抑制することができる。なお、本実施形態においては、環状の突出部２３を採用した例を示したが、板状の突出部を採用することもできる。
【００３１】
次に、図１等を用いて、本実施形態に係る物品収納具１の使用方法について説明する。
【００３２】
まず、使用者は、Ａ４サイズのノートＰＣやクリアファイル等の比較的大きい物品を第一箱体１０の第一収納空間１０Ｂに収納する一方、ペン等の比較的小さい物品を第二箱体２０の第二収納空間２０Ｂに収納する。次いで、使用者は、図１、図３、図５、図６に示すように、第一箱体１０の仕切部材１４の開口部（把持部）１５を含む部分を、第二箱体２０の第二底面部２１に設けられた挿通孔２１Ａに挿通させ、第一箱体１０の仕切部材１４の開口部（把持部）１５を第二箱体２０の第二収納空間２０Ｂに突出させた状態で、第二箱体２０を第一箱体１０の第一開口１０Ａに取り付ける。これにより、ノートＰＣ等の比較的大きな物品と、文房具等の比較的小さな物品と、を別々に収納して一緒に持ち運ぶことができる。
【００３３】
以上説明した実施形態に係る物品収納具１においては、第一箱体１０及び第二箱体２０の双方の収納空間に別々に物品を収納することができる。例えば、第一箱体１０の第一収納空間１０Ｂには、Ａ４サイズのノートＰＣやクリアファイル等の比較的大きい物品を収納する一方、第二箱体２０の第二収納空間２０Ｂには、ペンや消しゴム等の比較的小さい物品を収納することができる。そして、第一箱体１０の第一底面部１１に取り付けられた仕切部材１４のうち開口部（把持部）１５を含む部分を第二箱体２０の第二底面部２１の挿通孔２１Ａに挿通させて第一箱体１０の開口部（把持部）１５を第二箱体２０の第二収納空間２０Ｂに突出させた状態で、第二箱体２０を第一箱体１０の第一開口１０Ａに取り付けることができる。このため、使用者は、第二箱体２０の第二開口２０Ａから第二収納空間２０Ｂに手を入れて開口部（把持部）１５を把持することができ、第一箱体１０と第二箱体２０とを一体的に持ち運ぶことができる。この際、第二箱体２０を、第一箱体１０の第一開口１０Ａを塞ぐ蓋体として機能させることができるため、第一箱体１０の第一収納空間１０Ｂに収納した物品が外部に飛散することを防止することができる。
【００３４】
また、以上説明した実施形態に係る物品収納具１においては、第二箱体２０を第一箱体１０の第一開口１０Ａに取り付ける際に、第二箱体２０の第二底面部２１の裏面２１Ｂに設けられた突出部２３を第一箱体１０の第一開口１０Ａに嵌合させて、突出部２３を第一開口１０Ａの内側に位置させることができる。従って、第一箱体１０の第一開口１０Ａの形状を維持することができ、第一箱体１０の第一側面部１２が内側に湾曲することを抑制することができる。
【００３５】
また、以上説明した実施形態に係る物品収納具１においては、第二箱体２０の第二底面部２１の挿通孔２１Ａを形成する縁部のうち第一箱体１０の仕切部材１４が挿入される側の縁部２１Ａａが曲面形状を有しているため、仕切部材１４を挿通孔２１Ａに挿入する際に、仕切部材１４の先端が挿通孔２１Ａの縁部２１Ａａに引っ掛かることを抑制することが可能となる。
【００３６】
また、以上説明した実施形態に係る物品収納具１においては、仕切部材１４のうちフレーム部材１３に取り付けられる部分１４Ｂの厚さが他の部分の厚さよりも厚くされているため、仕切部材１４をフレーム部材１３に対して比較的強固に取り付けることができ、仕切部材１４の立位状態を安定させることが可能となる。
【００３７】
また、以上説明した実施形態に係る物品収納具１においては、第一開口１０Ａを鉛直上方に向けて第一箱体１０を配置したときに、底面支持部１３Ａ及び角フレーム部１３Ｂを有するフレーム部材１３によって第一底面部１１及び第一側面部１２を支持することができる。従って、第一箱体１０の形状を維持することが可能となる。また、第一箱体１０の第一底面部１１及び第一側面部１２が不織布により構成されているため、第一箱体１０の第一収納空間１０Ｂに収納した物品の損傷を防ぐことが可能となる。
【００３８】
また、以上説明した実施形態に係る物品収納具１においては、隣接する一対の角フレーム部１３Ｂと、これら一対の角フレーム部１３Ｂの間に配置される底フレーム部１３Ｃと、に紙片を挿入可能なスリット１３Ｄを形成しているため、角フレーム部１３Ｂ間の寸法を特定の紙片（例えば名刺ＮＣ）の幅に対応させて設定することにより、特定の紙片をこれらスリット１３Ｄに挿入して支持することができる。この際、底フレーム部１３Ｃのスリット１３Ｄ及び二つの角フレーム部１３Ｂのスリット１３Ｄによって特定の紙片の三辺を安定的に支持することが可能となる。
【００３９】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４０】
１…物品収納具
１０…第一箱体
１０Ａ…第一開口
１０Ａａ…第一開口を形成する縁部の端面
１０Ｂ…第一収納空間
１１…第一底面部
１２…第一側面部
１３…フレーム部材
１３Ａ…底面支持部
１３Ｂ…角フレーム部
１３Ｃ…底フレーム部
１３Ｄ…スリット
１４…仕切部材
１４Ａ…第一開口から外方に突出した部分
１４Ｂ…第一底面部に取り付けられる部分
１５…開口部（把持部）
２０…第二箱体
２０Ａ…第二開口
２０Ｂ…第二収納空間
２１…第二底面部
２１Ａ…挿通孔
２１Ａａ…第一箱体の仕切部材が挿入される側の縁部
２１Ｂ…裏面
２２…第二側面部
２３…突出部
ＮＣ…名刺（紙片）
【図１】
2020081390.tif 000003
【図２】
2020081390.tif 000004
【図３】
2020081390.tif 000005
【図４】
2020081390.tif 000006
【図５】
2020081390.tif 000007
【図６】
2020081390.tif 000008
【図７】
2020081390.tif 000009